(57)【要約】　　　（修正有）【課題】書き込み可能な形態のシェルフタグを提供する。【解決手段】プログラム可能なシェルフタグ１０の製造方法であって、単一のフレキシブルな透明な基板にポリマーが分散した物質の層から成る表示素子の提供段階と、接着性の背部の印刷媒体のウェブにおいて形成されたウィンドウ１８において基板側を下にして表示素子を設置する段階と、印刷媒体のラベルに静的情報を印刷する段階と、接着性ラベルを設置するための表示素子との伝導性部分を有する支持体の提供段階と、支持体に接着性ラベルを付加する段階を含む。【選択図】図１
2004046111.tif 000002
【特許請求の範囲】
【請求項１】
プログラム可能なシェルフタグの製造方法であって、該方法は、
ａ）単一のフレキシブルな透明な基板を有する表示素子の提供段階であって、前記基板に一つ以上の第一の透明のコンダクタが位置し、前記第一のコンダクタ上にポリマーが分散した物質の層が位置し、前記ポリマーが分散した物質は、情報を表示し、両方が電界がない状態で安定している、第一と第二の光学状態を有するための適用された電界に反応しており、一つ以上の第二のコンダクタは、前記第一及び第二コンダクタと、表示の前記第一及び第二コンダクタに対する電気的な接続を成すために前記表示の後部に置かれた複数の表示接触との間の前記ポリマーを分散した物質に前記電界を適用するための前記ポリマーが分散された層に位置されることを特徴とする提供段階と、
ｂ）前記表示素子を含む接着性ラベルを形成する前記表示素子の周りのダイカットエリアを有する、接着性の背部における印刷媒体のウェブにおいて形成されたウィンドウにおいて基板側を下にして前記表示素子を設置する段階と、
ｃ）前記印刷媒体の前記ラベルに静的情報を印刷する段階と、
ｄ）前記接着性ラベルを設置するための支持体の提供段階であって、前記支持体は、前記表示素子の前記コンダクタに対する接触を提供するための第一の伝導性部分と前記表示素子の正面からの前記表示との電気接触を成すための前記接着性ラベルの外側エリアにおける第二の伝導性部分を有する、複数の支持接触を含み、前記支持体は前記支持体の接触における前記第一の伝導性部分上で伝導性の接着剤層を含むことを特徴とする提供段階と、並びに
ｅ）前記第一及び第二コンダクタは表示アセンブリの前記正面から電気的にアドレス可能となるために、前記表示の接触が前記伝導性の接着剤によって前記支持体の接触との電気的な接触であるような手段で前記支持体に前記接着性ラベルを付加する段階と、
を含むことを特徴とする方法。
【請求項２】
ａ）単一のフレキシブルな透明な基板を有する表示素子であって、前記基板に一つ以上の第一の透明のコンダクタが位置し、前記第一のコンダクタ上にポリマーが分散した物質の層が位置し、前記ポリマーが分散した物質は、情報を表示し、両方が電界がない状態で安定している、第一と第二の光学状態を有するための適用された電界に反応しており、一つ以上の第二のコンダクタは、前記第一及び第二コンダクタと、表示の前記第一及び第二コンダクタに対する電気的な接続を成すために前記表示の後部に置かれた複数の表示接触との間の前記ポリマーを分散した物質に前記電界を適用するための前記ポリマーが分散された層に位置されることを特徴とする前記表示素子と、並びに
ｂ）ダイカットラベルのエリアを有し、前記ラベルエリアでウィンドウを確定し、前記ウィンドウにおいて基板側を下にして前記表示素子は設置されており、放出可能な背面層を含んでおり、それによって静的な情報は前記ラベルにおいて印刷でき、かつ前記印刷されたラベルは前記背面層から取り外しでき、前記表示素子の前記コンダクタに対する電気的な接続を成すための接触を有する支持体に付加できうる、接着性の印刷媒体のシートと
を含むことを特徴とするプログラム可能なシェルフタグラベル。
【請求項３】
単一のフレキシブルな透明な基板を有する表示素子であって、前記基板に一つ以上の第一の透明のコンダクタが位置し、前記第一のコンダクタ上にポリマーが分散した物質の層が位置し、前記ポリマーが分散した物質は、情報を表示し、両方が電界がない状態で安定している、第一と第二の光学状態を有するための適用された電界に反応しており、一つ以上の第二のコンダクタは、前記第一及び第二コンダクタと、表示の前記第一及び第二コンダクタに対する電気的な接続を成すために前記表示の後部に置かれた複数の表示接触との間の前記ポリマーを分散した物質に前記電界を適用するための前記ポリマーが分散された層に位置されることを特徴とする前記表示素子と、並びにダイカットラベルのエリアを有し、前記ラベルエリアでウィンドウを確定し、前記ウィンドウにおいて基板側を下にして前記表示素子は設置されており、放出可能な背面層を含んでおり、それによって静的な情報は前記ラベルにおいて印刷でき、かつ前記印刷されたラベルは前記背面層から取り外しでき、支持体に付加できうる、接着性の印刷媒体のシート、を含むことを特徴とするプログラム可能なシェルフタグラベルを受けるための前記支持体であって、前記支持体は、
ａ）前記プログラム可能なシェルフタグを受けるための表面を有し、該表面に正確に前記タグを位置するための整列特徴を定義する本体と、
ｂ）前記表面で露出された部分を有し、前記表示素子の前記第一及び第二コンダクタに対して電気的な接続を成すための前記整列特徴に関して位置し、前記表示素子を超えて延伸する露出された部分を有しており、それによって前記第一及び第二コンダクタが前記シェルフタグラベルの正面から電気的にアドレス可能であるような前記本体の接触と、並びに
ｃ）前記受取り表面上の前記接触の前記露出された部分にわたって位置された伝導性接着剤と、
を含むことを特徴とする支持体。
【発明の詳細な説明】
【０００１】
【発明の属する技術分野】
本発明は、表示に対する正面の電気的な接触を備えるフレキシブルな表示を有する印刷可能なラベルに関する。
【０００２】
【従来の技術】
従来のシステムは、価格データを表示するための双安定の液晶表示とユニバーサルプロダクトコード（ＵＰＣ）のバーコードを有する、プログラム可能なシェルフタグ（ｓｈｅｌｆ　ｔａｇ）を含んでおり、表示上のプログラムされた情報は電源が切られた状態でも表示上に維持する（例えば、特許文献１及び２参照。）。シェルフタグは、表示の正面側に１セットの同調するインジケータ及び対応する電気的な接触を有する。シェルフタグは、基板の上部と底部にパターン化された伝導性素子を形成することによって、かつ、かかるパターン化された性質の素子間にポリマーの安定化した液晶をサンドイッチ化することによって構築される。
【０００３】
シェルフタグは、在庫と価格情報を含む、中央コンピュータに接続される、携帯型装置でプログラム可能である。携帯型装置は、電気的な接触の位置を識別するために同調するインジケータをスキャンし、かつシェルフタグに適切な情報を書き込む、電気信号を備える電機接触を供給するために使用できうる。在庫管理と価格の更新において、携帯型装置は、シェルフタグのＵＰＣバーコードを最初に読むために使用される。価格の更新が必要な場合、携帯型装置はタグに適切な価格情報を書き込むために使用される。
【０００４】
【特許文献１】
米国特許第５，７５１，２５７号
【特許文献２】
米国特許第６，２５３，１９０号
【発明が解決しようとする課題】
かかるシステムの一つの問題は、シェルフタグの複雑さとコストが著しく増大する、シェルフタグに書き込み可能な素子としてのＵＰＣを含むことである（例えば、特許文献１及び２参照。）。ＵＰＣ情報を生成するために必要とされる解決策は、１１３モジュールのデータを要求し、したがって、表示の正面の接触数に対応する。一般的に、製品のＵＰＣバーコードは静的であり、製品の寿命において変わらない。
【０００５】
別の問題は、一般的にシェルフタグが、製品、ユニットの識別（例えば、オンスごと又は１００枚ごと）の人間が読取り可能な記載としての他の静的な情報を含むことである。シェルフタグにおける書き込み可能な形態のかかる余分な静的な情報の追加は、非現実的にタグの表示構造を複雑にするだろう。
【０００６】
したがって、上に記載した問題を回避する、改良されたシェルフタグを提供する必要がある。
【０００７】
【課題を解決するための手段】
必要は、プログラム可能なシェルフタグを製造することによる、本発明によって満たされ、単一のフレキシブルな透明な基板を有する表示素子の提供であって、かかる提供において、基板に一つ以上の第一の透明のコンダクタが位置しており、かかる第一のコンダクタ上にポリマーが分散した物質の層が位置しており、物質が分散したポリマーは、情報を表示し、両方が電界がない状態で安定している、第一と第二の光学状態を有するための適用された電界に反応しており、一つ以上の第二のコンダクタは、第一及び第二コンダクタと、表示の第一及び第二コンダクタに対する電気的な接続を成すために表示の後部に置かれた複数の表示接触との間のポリマーを分散した物質に電界を適用するためのポリマーが分散された層に位置されることを特徴とする提供と、表示素子を含む接着性ラベルを形成する表示素子の周りのダイカットエリアを有する、接着性の背部の印刷媒体のウェブにおいて形成されたウィンドウにおいて基板側を下にして表示素子を設置すること、印刷媒体のラベルに静的情報を印刷する段階と、接着性ラベルを設置するための支持体の提供であって、かかる支持体は、表示素子のコンダクタへの接触を提供するための第一の伝導性部分と表示素子の正面からの表示との電気接触を成すための接着性ラベルの外側エリアにおける第二の伝導性部分を有する、複数の支持接触を含み、かかる支持体は支持体の接触における第一の伝導性部分上で伝導性の接着剤層を含むことを特徴とする提供を含む。接着性ラベルは、表示の接触は伝導性の接着剤を介して支持接触との電気的な接触であるように支持体に付加され、それによって第一及び第二コンダクタは表示アセンブリの正面から電気的にアドレス可能である。
【０００８】
【発明の実施の形態】
図１は、上部と底部の基板にパターン化された伝導性の素子２０と、かかるパターン化された性質の素子２０間にサンドイッチ状のポリマーが安定化した液晶を形成することによって構成される一つ以上の表示１５から構成される、シェルフタグ１０を示す。表示１５は、ここに参照として組み入れられるステファンソン等によって２００２年４月２９日に出願された、米国特許公開１０／１３４，１８５号に示されるようにして成されうる。
【０００９】
シェルフタグ１０は、表示１５の特徴的な素子２０をシェルフタグ１０の正面の印刷可能な側２５から見られることを可能にする、一つ以上の穿孔されたウィンドウ１８を有する。印刷可能な表面２５は、バーコード及びアイテムの記載などの追加の静的な読取り可能な情報を、一つはインクジェットプリンタである、印刷手段を介して適用されることを可能にする。
【００１０】
図３は、シェルフタグ１０の裏側に対する表示１５の取り付けと同様に支持体に対する取り付けも可能にするために背面の接着剤３０を有するシェルフタグを示す。背面の接着剤３０に付加されている表示１５は、シェルフタグ１０の裏に面するために表示１５上の露出された電気的な伝導性の表示接触４０を提供する。
【００１１】
図４及び図５は、印刷可能な媒体シート４５上に配位している複数のシェルフタグ１０を示す。穿孔されたウィンドウ１８は、印刷可能な表面２５と接着性のバッカーライナー５０により切断される。複数のシェルフタグ１０は、印刷可能な媒体２５のみによるダイカットである。図６は、バッカーライナー５０の剥がす部分５５を付加される表示１５における接着剤３０を露出することを可能にする、バッカーライナー５０だけによりダイカットしている穿孔されたウィンドウ１８の周辺エリアを備えるシート４５の裏側を示す。
【００１２】
図７及び８は、適所で背面の接着剤３０に付加された表示１５を備える完全なシェルフタグ１０を示す、シート４５の表面と裏側のそれぞれを示す。図１は、印刷可能なシート４５及びバッカーライナー５０とは個別である、表示１５を備える完全なタグ１０を示す。
【００１３】
図９は支持体３５内に挿入された複数の伝導性ストリップ６０を備える支持体３５の正面からの詳細な斜視図である。一つの実施態様において、インジェクションモールドの支持体３５は、そこに成形された伝導性ストリップ６０を有する。表示接触４０が伝導性ストリップ６０と電気的な接続を形成するように、支持体３５は適切なポジショニングで支持体３５にシェルフタグ１０を整列するための窪み６５を確定する。支持体３５はまた、シェルフタグ１０を窪み６５で支持体３５上に平らに接着することを可能にする、表示１５を受けるためのすき間の窪み７０を提供する。
【００１４】
図１０は、伝導性ストリップ６０と、かかる伝導性ストリップ６０上に適用されるバッカーライナー８０を備える、異方性で伝導性の接着テープ７５のストリップを備える、支持体３５の正面図を示す。一旦、バッカーライナー８０が取り外されると、異方性で伝導性の接着剤７５は、シェルフタグ１０が支持体３５に適用されるように、表示１５の伝導性の接触４０と結合するように露出される。伝導性のストリップ６０に対して接着されるのと同様に表示１５の伝導性の接着４０に対して接着されている伝導性の接着剤７５は、表示１５上の伝導性素子２０と伝導性ストリップ６０との間に電気的な接触を提供する。
【００１５】
図１１は、完全なシェルフタグ・アセンブリ８５を例示する。接触ストリップ６０は、表示１５上の変更可能な特徴２０を電気的にプログラムするように支持体３５の正面に露出される。
【００１６】
図１２は、既存のシェルフタグレールシステムに対する取り付けブラケット９０の背面の斜視図を示す。
【００１７】
図１３は、取り付け前のアセンブリの要素を示す、詳細な図１１を拡大した断面図である。
【００１８】
図１４は、すべての構成部品が適切な位置に備わった、図１１の断面図を示す。
【００１９】
【発明の効果】
本発明は、小売り店へ販売されるために付加された表示を備えた完成したシートを可能にする。小売り業者は完成したシート及び支持体を購入し、シートに関する静的な情報を印刷し、シートから印刷されたラベルを分離し、支持体にそれらを添付することができる。価格が変化する場合、ラベルの表示は静的な情報を変化しないで、容易に更新できる。
【図面の簡単な説明】
【図１】背部に付加された表示を備えるシェルフタグの正面からの斜視図である。
【図２】裏側に表示接触を備える７部分の表示の正面図である。
【図３】付加された表示を備えるシェルフタグの裏（接着）側の斜視図である。
【図４】シートにより穿孔されたウィンドウ及び表示が透けて見えるべきバッカーを備える配列において位置した個々のダイカットラベルを備えた印刷可能なシートの正面図である。
【図５】剥がされた場合に付着される表示における接着剤を露出する、ライナーにおけるダイカットインサートと同様に表示が透けて見える穿孔されたウィンドウを備える、接着性のバッカーライナーを示す、図４の印刷可能なシートの背面図である。
【図６】取り外されたバッカーライナーインサートと付着される表示を示す、印刷可能なシートの背面の拡大した斜視図である。
【図７】バッカーライナーの開口部に位置する表示を備える、接着性のバッカーライナーを備える印刷可能なシートの背面図である。
【図８】穿孔された開口部により示している表示を備えるダイカットラベルの配列を示す、印刷可能なシートの正面図である。
【図９】表面に挿入された伝導性ストリップ及びシェルフタグと表示のための窪みを備える、支持体の正面の斜視図である。
【図１０】伝導性のストリップ上に位置した接着性のバッカーライナーを備えて異方性で伝導性のテープストリップを備える、表面に挿入された伝導性ストリップを有する、支持体の正面の斜視図である。
【図１１】表示特性に変更を加えるために、電気的に接触することに利用可能な支持体の底縁に沿って露出された伝導性のストリップを備える、完成したシェルフタグ・アセンブリの正面の斜視図である。
【図１２】シェルフタグを既存のシェルフタグレールシステムに付加するためのブラケットを有する、シェルフタグの背面の斜視図である。
【図１３】シェルフタグ・アセンブリを示す、図１１の線Ａ−Ａに沿って得られた拡大された断面図である。
【図１４】完全なシェルフタグ・アセンブリを示す、図１１の線Ａ−Ａに沿って得られた断面図である。
【符号の説明】
１０　シェルフタグ
１５　表示
１８　穿孔されたウィンドウ
２０　伝導性素子
２５　ラベルの印刷可能な側
３０　背面の接着剤
３５　支持体
４０　表示の接触
４５　印刷可能なシート
５０　接着性のバッカーライナー
５５　バッカーライナーから剥がす部分
６０　伝導性ストリップ
６５　シェルフタグのポジショニングにおける支持体での窪み
７０　表示におけるクリアランス
７５　伝導性の接着剤
８０　伝導性の接着剤のバッカーライナー
８５　シェルフタグ・アセンブリ
９０　取り付けブラケット
【図１】
2004046111.tif 000003
【図２】
2004046111.tif 000004
【図３】
2004046111.tif 000005
【図４】
2004046111.tif 000006
【図５】
2004046111.tif 000007
【図６】
2004046111.tif 000008
【図７】
2004046111.tif 000009
【図８】
2004046111.tif 000010
【図９】
2004046111.tif 000011
【図１０】
2004046111.tif 000012
【図１１】
2004046111.tif 000013
【図１２】
2004046111.tif 000014
【図１３】
2004046111.tif 000015
【図１４】
2004046111.tif 000016